(57)【要約】【課題】複数画像の連続表示において、画像切り換わり時に視聴者に強い視覚的刺激を感じさせることを抑制し、且つ画像切り換え表示に不要に長い時間がかからないようにする。【解決手段】画像の切り換わりに遷移効果を付加する付加手段と、各画像の輝度を表す特性値を取得する取得手段と、連続して切り換えられる２つの画像の間の前記特性値の差分に応じて付加手段による遷移効果の付加を制御する制御手段と、を備え、前記制御手段は、前記差分が所定の閾値以上の場合、前記２つの画像が所定の切り換わり期間を有して切り換わり、該切り換わり期間において前記２つの画像の表示輝度の変化が遷移効果を付加しない場合よりも緩慢になるような遷移効果が付加されるように付加手段を制御し、前記差分が前記閾値より小さい場合、前記遷移効果が付加されないように付加手段を制御する。【選択図】図１
2011033943.tif 000002
【特許請求の範囲】
【請求項１】
複数の画像を順次切り換えて連続的に表示させる画像処理装置であって、
前記画像の切り換わりに遷移効果を付加する付加手段と、
各画像の輝度を表す特性値を取得する取得手段と、
連続して切り換えられる２つの画像の間の前記特性値の差分に応じて前記付加手段による前記遷移効果の付加を制御する制御手段と、を備え、
前記制御手段は、
前記差分が所定の閾値以上の場合、前記２つの画像が所定の切り換わり期間を有して切り換わり、前記切り換わり期間において、前記２つの画像の表示輝度の変化が遷移効果を付加しない場合よりも緩慢になるような遷移効果が付加されるように前記付加手段を制御し、
前記差分が前記閾値より小さい場合、前記遷移効果が付加されないように前記付加手段を制御することを特徴とする画像処理装置。
【請求項２】
前記遷移効果は、フェード、ワイプ又はスクロールであることを特徴とする請求項１に記載の画像処理装置。
【請求項３】
前記特性値は、前記画像の平均輝度レベル又は最大輝度レベルであることを特徴とする請求項１又は２に記載の画像処理装置。
【請求項４】
前記画像処理装置の出力する画像を表示する画像表示装置が設置される場所の照度を取得する照度取得手段を備え、
前記制御手段は、前記取得された照度が大きくなるほど前記閾値を大きくすることを特徴とする請求項１乃至３のいずれか１項に記載の画像処理装置。
【請求項５】
前記画像処理装置の出力する画像を表示する画像表示装置の表示画質設定を取得する設定取得手段を備え、
前記制御手段は、前記取得される表示画質設定に応じて前記閾値を変化させることを特徴とする請求項１乃至４のいずれか１項に記載の画像処理装置。
【請求項６】
前記表示画質設定は、前記画像表示装置に表示させる画像の輝度、色相、彩度又はコントラストの少なくともいずれかを変更する処理に用いられるパラメータの設定値の集合であることを特徴とする請求項５に記載の画像処理装置。
【請求項７】
前記制御手段は、
前記連続して切り換えられる２つの画像を表示順序の早い方から第１画像及び第２画像とし、表示順序が第２画像の次の画像を第３画像とした場合に、第１画像と第２画像との間の前記特性値の差分である第１差分及び第２画像と第３画像との間の前記特性値の差分である第２差分に応じて前記付加手段による前記遷移効果の付加を制御するものであって、
前記第１差分が前記閾値より小さい場合であっても、前記第２差分が前記閾値以上の場合は、前記第１画像及び前記第２画像が所定の切り換わり期間を有して切り換わるような遷移効果が付加されるように前記付加手段を制御することを特徴とする請求項１乃至６のいずれか１項に記載の画像処理装置。
【請求項８】
複数の画像を順次切り換えて連続的に表示させる画像処理方法であって、
前記画像の切り換わりに遷移効果を付加する付加工程と、
各画像の輝度を表す特性値を取得する取得工程と、
連続して切り換えられる２つの画像の間の前記特性値の差分に応じて前記付加工程にお
ける前記遷移効果の付加を制御する制御工程と、を有し、
前記制御工程においては、
前記差分が所定の閾値以上の場合、前記２つの画像が所定の切り換わり期間を有して切り換わり、前記切り換わり期間において、前記２つの画像の表示輝度の変化が遷移効果を付加しない場合よりも緩慢になるような遷移効果が付加されるように前記付加工程における遷移効果の付加を制御し、
前記差分が前記閾値より小さい場合、前記遷移効果が付加されないように前記付加工程における遷移効果の付加を制御することを特徴とする画像処理方法。
【発明の詳細な説明】
【技術分野】
【０００１】
本発明は、複数の画像を順次切り換えて連続的に表示させる画像処理装置及び画像処理方法であって、特に画像の切り換わりに遷移効果を付加する画像処理装置及び画像処理方法に関する。
【背景技術】
【０００２】
複数の画像を順次切り換えて連続的に表示するスライドショーと呼ばれる画像表示方法が知られている。特許文献１には、スライドショーにおける画像の切り換わり時に特殊効果をつける画像表示方法において、画像から複数の特徴領域を検出し、検出結果に基づいて該特殊効果の内容を決定することが記載されている。
【０００３】
特許文献２には、ディスプレイ装置の表示を変更するときに、変更前の画面から最終表示画面への画面の変更を段階的に行う技術が記載されている。
【先行技術文献】
【特許文献】
【０００４】
【特許文献１】特開２００６−３５０６４７号公報
【特許文献２】特開平７−１７５４６４号公報
【発明の概要】
【発明が解決しようとする課題】
【０００５】
輝度や色相等の視覚的な特性値が大きく異なる２つの画像について切り換えが行なわれると、画像の切り換わりの際に視聴者に強い視覚的刺激を感じさせてしまう可能性がある。特許文献１に記載された画像表示方法では、画像切り換わり時の特殊効果の決定において、切り換えられる２つの画像間の特性値の差が考慮されていない。そのため、切り換えられる２つの画像間の特性値の差が大きい場合、画像の切り換わりの際に視聴者に強い視覚的刺激を感じさせてしまうことを好適に抑制できない可能性がある。
【０００６】
特許文献２に記載されたディスプレイ装置の表示方法では、画面変更時に必ず段階的な複数回の画面描画が行われるため、どのような画像を表示する場合でも、本来の輝度で表示されるまでに時間がかかってしまうという課題がある。そのため、複数の画像の連続的な切り換え表示を軽快に行なうことができず、視聴者満足度の高い画像鑑賞体験を提供できない可能性がある。
【０００７】
本発明は上記課題に鑑みてなされたものであり、複数画像の連続表示において、画像切り換わり時に視聴者に強い視覚的刺激を感じさせることを抑制し、且つ画像切り換え表示に不要に長い時間がかからない画像処理装置及び画像処理方法の提供を目的とする。
【課題を解決するための手段】
【０００８】
本発明に係る画像処理装置は
複数の画像を順次切り換えて連続的に表示させる画像処理装置であって、
前記画像の切り換わりに遷移効果を付加する付加手段と、
各画像の輝度を表す特性値を取得する取得手段と、
連続して切り換えられる２つの画像の間の前記特性値の差分に応じて前記付加手段による前記遷移効果の付加を制御する制御手段と、を備え、
前記制御手段は、
前記差分が所定の閾値以上の場合、前記２つの画像が所定の切り換わり期間を有して
切り換わり、前記切り換わり期間において、前記２つの画像の表示輝度の変化が遷移効果を付加しない場合よりも緩慢になるような遷移効果が付加されるように前記付加手段を制御し、
前記差分が前記閾値より小さい場合、前記遷移効果が付加されないように前記付加手段を制御することを特徴とする。
【０００９】
また、本発明に係る画像処理方法は、
複数の画像を順次切り換えて連続的に表示させる画像処理方法であって、
前記画像の切り換わりに遷移効果を付加する付加工程と、
各画像の輝度を表す特性値を取得する取得工程と、
連続して切り換えられる２つの画像の間の前記特性値の差分に応じて前記付加工程における前記遷移効果の付加を制御する制御工程と、を有し、
前記制御工程においては、
前記差分が所定の閾値以上の場合、前記２つの画像が所定の切り換わり期間を有して切り換わり、前記切り換わり期間において、前記２つの画像の表示輝度の変化が遷移効果を付加しない場合よりも緩慢になるような遷移効果が付加されるように前記付加工程における遷移効果の付加を制御し、
前記差分が前記閾値より小さい場合、前記遷移効果が付加されないように前記付加工程における遷移効果の付加を制御することを特徴とする。
【発明の効果】
【００１０】
本発明によれば、複数画像の連続表示において、画像切り換わり時に視聴者に強い視覚的刺激を感じさせることを抑制し、且つ画像切り換え表示に不要に長い時間がかからないようにすることが可能となる。
【図面の簡単な説明】
【００１１】
【図１】実施例１の画像表示装置を示すブロック図
【図２】実施例１のシステムコントローラの動作を示すフローチャート
【図３】実施例１の入力画像例を示す図
【図４】実施例１の画像表示輝度の変化を示す図
【図５】実施例２のシステムコントローラの動作を示すフローチャート
【図６】実施例２の周囲の照度とクロスフェード実行閾値との関係を示す図
【図７】実施例２の画質モード別の照度とクロスフェード実行閾値の関係を示す図
【図８】実施例３のシステムコントローラの動作を示すフローチャート
【図９】実施例３の入力画像例を示す図
【図１０】実施例３の画像表示輝度の変化を示す図
【発明を実施するための形態】
【００１２】
以下に、本発明の実施の形態を、添付の図面に基づいて詳細に説明する。
【００１３】
（実施例１）
図１は、本発明の実施例１に係る画像表示装置１００の構成を示すブロック図である。画像表示装置１００は、視聴者の操作により及び／又は自動処理により複数の画像を順次切り換えて連続的に表示する画像表示を行なう装置である。画像表示装置１００は、例えばデジタルカメラのモニタ画面に撮影済み写真を連続的に順次表示する用途や、デジタルテレビやポータブルプレーヤーに記憶された画像をそれらの機器のモニタ画面に連続的に順次表示する用途等に用いることができる。
【００１４】
図１において記憶媒体１０１は、静止画像や動画像等の画像が記憶され、ハードディスクやメモリ等で構成されている。画像読み出し部１０２は、記憶媒体１０１に記録されて
いる画像を読み出し、画像処理部１０５に出力する。画像読み出し部１０２は、記憶媒体１０１に記憶された画像が圧縮されている場合には、伸張処理を行ってベースバンドの画像を画像処理部１０５に出力する。輝度抽出部１０３は、画像読み出し部１０２により読み出した画像の平均輝度レベル（以下、ＡＰＬとも言う）を抽出し、画像の輝度として後述するシステムコントローラ１０７に出力する。本実施例では平均輝度レベルＡＰＬが本発明における「画像の輝度を表す特性値」に相当し、画像から平均輝度レベルＡＰＬを抽出する輝度抽出部１０３が本発明における「取得手段」に相当する。画像切換検出部１０４は、画像読み出し部１０２が新たな画像（次に表示すべき画像）の読み出しを終えて、表示画像を切り換え可能となるタイミングを検出し、画像切換検出信号をシステムコントローラ１０７に出力する。画像処理部１０５は、入力されたベースバンドの画像に対して輝度処理や色処理の他にズーム、ワイプ、クロスフェード又はスクロール等の各種画像処理を実行する。画像表示部１０６は、画像処理部１０５から出力される各種画像処理が施された表示用の画像を表示し、ＬＣＤパネル等で構成される。システムコントローラ１０７は、画像表示装置１００を構成する上述した各ブロックを統括的に制御し、内部にはマイクロコンピュータ等を含む。メモリ１０８は、プログラムデータや後述する各種の閾値、現在画像表示部１０６に表示している画像の輝度等を格納するメモリである。操作部１０９は、ユーザーが画像表示装置１００に対して画像再生及び表示の実行等の各種指示を入力することが可能である。なお、図１において括弧付で記された符号５００〜５０３及び破線で描かれた照度センサ５０１は後述する実施例２に係る画像表示装置５００に関する構成要素であり、本実施例に係る画像表示装置１００とは無関係である。
【００１５】
（画像表示装置１００の画像表示動作に関する説明）
次に、本発明に係る画像表示装置１００の動作について図２のフローチャートを用いて説明する。なお図２のフローチャートは図１におけるシステムコントローラ１０７が各ブロックを制御することにより行う。
【００１６】
まずステップＳ２０１の処理において、操作部１０９からの操作により画像再生の実行が指示されると、ステップＳ２０２の処理に移行し、クロスフェード実行閾値Ｙｔｈ＿ｃｆが読み出される。クロスフェード実行閾値Ｙｔｈ＿ｃｆは、後述するクロスフェード効果の付加を実行するか否かを決定するための基準値である。なおクロスフェード実行閾値Ｙｔｈ＿ｃｆは、図１におけるメモリ１０８内に記憶されている。
【００１７】
ここで、クロスフェード実行閾値Ｙｔｈ＿ｃｆについて説明する。輝度差分の大きい２つの画像の切り換えが即座に行なわれた場合、視聴者に強い視覚的刺激を感じさせ、目の疲労を招いたり快適な画像鑑賞体験を損なったりする虞がある。クロスフェード実行閾値Ｙｔｈ＿ｃｆは、２つの画像の切り換えが即座に行なわれた場合であっても、視聴者に強い視覚的刺激を感じさせないような、２つの画像の輝度差分の上限値に基づいて定められる。２つの画像の輝度差分がどのような値であれば視聴者に強い視覚的刺激を感じさせないか、ということは、視聴者の条件にも依存し、全ての視聴者についてその条件を満たす基準値を定めることが難しい場合も考えられる。そのような場合には、クロスフェード実行閾値Ｙｔｈ＿ｃｆは、統計的・実験的に定めることができる。
【００１８】
次にステップＳ２０３の処理に移行し、記憶媒体１０１から画像を読み出す処理を行う。
【００１９】
次にステップＳ２０４の処理に移行し、ステップＳ２０３で読み出した画像の入力を受けて輝度抽出部１０３が抽出した該画像の平均輝度レベルＹを取得する。そして、取得した平均輝度レベルＹを、次に表示する画像の輝度Ｙ＿ｎｏｗとして記憶する。
【００２０】
次にステップＳ２０５の処理に移行し、ステップＳ２０４で取得した輝度Ｙ＿ｎｏｗと
現在表示している画像の輝度Ｙ＿ｏｌｄ（前回の本フロー実行時に取得された輝度）との差の絶対値｜Ｙ＿ｏｌｄ−Ｙ＿ｎｏｗ｜を算出し、輝度差分Ｙ＿ｓｕｂとする。ここで輝度差分Ｙ＿ｓｕｂは、本発明における「切り換えられる２つの画像の間の特性値の差分」に相当し、ステップＳ２０５の処理を行なうシステムコントローラ１０７が本発明における「制御手段」の一部を構成する。
【００２１】
次にステップＳ２０６の処理に移行し、画像切換検出部１０４からの画像切換検出信号に基づいて表示画像の切り換えが可能になったか否かを判定する処理を行う。表示画像の切り換えが可能になった場合はステップＳ２０７の処理に移行する。
【００２２】
ステップＳ２０７の処理では、輝度差分Ｙ＿ｓｕｂとクロスフェード実行閾値Ｙｔｈ＿ｃｆを比較する。ステップＳ２０７において輝度差分Ｙ＿ｓｕｂがクロスフェード実行閾値Ｙｔｈ＿ｃｆ以上と判定された場合（ステップＳ２０７：ＹＥＳ）には、ステップＳ２０８の処理に移行し、クロスフェードを実行する。すなわち、システムコントローラ１０７は、画像処理部１０５に対してクロスフェードを実行させる制御信号を出力する。本実施例における輝度差分Ｙ＿ｓｕｂがクロスフェード実行閾値Ｙｔｈ＿ｃｆ以上であるか否かの判定は、本発明における特性値の差分が閾値以上であるか否かの判定に相当する。
【００２３】
ここで、クロスフェードについて説明する。クロスフェードとは、既に表示されている画像Ａに換わって新たな画像Ｂを表示する場合に、画像Ａと画像Ｂとを重み付で合成し、重みを時間とともに変化させることによって、表示画像を画像Ａから画像Ｂに徐々に変化させる遷移効果である。本実施例のクロスフェードは、本発明の遷移効果の一例である。
【００２４】
画像Ａから画像Ｂへの切り換わりにクロスフェードが付加されると、画像表示部１０６に画像Ａのみが表示される状態と画像Ｂのみが表示される状態との間に、クロスフェードが付加された画像が表示される期間が挿入されることになる。この期間を以下クロスフェード期間と称する。クロスフェード期間においては、徐々に変化する重み付けによって２つの画像が合成された画像が画像表示部１０６に表示される。従って、このクロスフェード期間における表示画像の輝度は、当該重み付けの時間変化に伴って徐々に変化することになる。よって、クロスフェードが付加されることにより、画像の切り換わりにおける表示画像の輝度の変化が、クロスフェードが付加されない場合の表示画像の輝度の変化よりも緩慢になるようにすることができる。クロスフェード期間が長くなるほど、クロスフェードが付加された画像の輝度変化はより緩慢になる。
【００２５】
本実施例では、輝度変化率が所定の第２閾値以下となるようにクロスフェード期間や合成の重み付け等のパラメータが定められたクロスフェードを画像の切り換わりに付加させる。ここで、第２閾値とは、表示画像の輝度が略連続的に変化する場合に、視聴者に強い視覚的刺激を感じさせない輝度変化率に基づいて定める。クロスフェード実行閾値Ｙｔｈ＿ｃｆを決定する場合と同様、視聴者に強い視覚的刺激を感じさせない輝度変化率は、視聴者に依存する部分があるので、全ての視聴者について条件を満たす第２閾値を求めることが難しい場合も考えられる。そのような場合は、第２閾値は統計的・実験的に決定することができる。
【００２６】
クロスフェードは、輝度変化率が第２閾値以下であればどのようなクロスフェードであっても良く、例えば、輝度変化率一定のクロスフェードや、クロスフェード期間が一定のクロスフェードを用いることができる。輝度変化率が一定のクロスフェードの場合、２つの画像の輝度差分が大きいほどクロスフェード期間が長くなる。クロスフェード期間が一定のクロスフェードの場合、クロスフェード期間は、２つの画像の輝度差分が想定し得る最大値であっても輝度変化率が第２閾値以下となるように設定すればよい。この場合、２つの画像の輝度差分が大きいほど輝度変化率は大きくなるが、それが第２閾値を超えるこ
とはないので、視聴者に強い視覚的刺激を感じさせることを好適に抑制できる。本実施例におけるクロスフェード期間が、本発明における「所定の切り換わり期間」に相当する。本実施例において、画像Ａのみが表示される状態と画像Ｂのみが表示される状態との間に、クロスフェードが付加された画像が表示される期間が挿入されることが、本発明における「２つの画像が所定の切り換わり期間を有して切り換わる」ことに相当する。
【００２７】
本実施例では、以上説明した条件を満たすクロスフェードを予め一つ定めておき、そのクロスフェードを実行するか否かだけを２つの画像の輝度差分に応じて決定するようにしても良い。或いは、２つの画像の輝度差分の大きさのレベルに応じてクロスフェードのパラメータを可変にしたり、輝度の差の正負に応じてクロスフェードのパラメータを可変にしたりしても良い。
【００２８】
なお、２つの画像の切り換えがクロスフェード等の遷移効果を伴わずに瞬間的或いはごく短時間で階段関数的に行なわれると、輝度変化率の値自体は非常に大きな値となる。しかしながら、２つの画像の輝度差分がクロスフェード実行閾値Ｙｔｈ＿ｃｆ未満であれば、視聴者は強い視覚的刺激を感じにくい傾向がある。すなわち、第２閾値は、２つの画像の輝度差分がクロスフェード実行閾値Ｙｔｈ＿ｃｆ未満の場合には、視聴者への視覚的刺激の有無の境界とはならない。
【００２９】
以上説明したように、本実施例は、視聴者に強い視覚的刺激を与えないために、以下の２つの条件の少なくともいずれかを満たすようにしている。すなわち、第１に、画像の切り換わり時の表示輝度の変化が不連続（階段関数的）の場合には、輝度の変化量がクロスフェード実行閾値Ｙｔｈ＿ｃｆ未満であること、第２に、輝度変化が連続の場合には、輝度変化率が第２閾値以下であることである。
【００３０】
説明を図２のフローチャートの説明に戻す。ステップＳ２０７において輝度差分Ｙ＿ｓｕｂがクロスフェード実行閾値Ｙｔｈ＿ｃｆ未満と判定された場合（ステップＳ２０７：Ｎｏ）には、ステップＳ２０９の処理に移行し、通常再生を実行する。すなわち、システムコントローラ１０７は、画像処理部１０５に対して単純に表示画像を入れ換える制御信号を出力する。ここで、単純な表示画像の入れ換えとは、既に表示されている画像Ａに換わって新たな画像Ｂを表示する場合に、瞬間的或いはごく短時間の内に画像Ａから画像Ｂに切り換える処理の事である。ステップＳ２０７における輝度差分Ｙ＿ｓｕｂとクロスフェード実行閾値Ｙｔｈ＿ｃｆとの比較結果に基づいてクロスフェードの実行要否を判定し画像処理部１０５に画像処理の指示を出力するシステムコントローラ１０７が、本発明の「制御手段」に相当する。また、システムコントローラ１０７からの指示に応じてステップＳ２０８又はステップＳ２０９の処理を行なう画像処理部１０５が、本発明の「付加手段」に相当する。
【００３１】
ステップＳ２０８又はステップＳ２０９の処理が終了すると、ステップＳ２１０の処理に移行する。ステップＳ２１０では、現在表示している画像（ステップＳ２０３で新たに読み込んだ画像）の輝度Ｙ＿ｎｏｗを輝度Ｙ＿ｏｌｄとしてメモリ１０８に記憶して、Ｓ２１１にて表示処理を終える。
【００３２】
なお本制御フローの初回の実行時、すなわち１枚目の画像を表示する時は、前回表示した画像の輝度Ｙ＿ｏｌｄは未だメモリ１０８に記憶されていない。従ってこの場合、輝度差分Ｙ＿ｓｕｂの算出やクロスフェード実行閾値Ｙｔｈ＿ｃｆとの比較をスキップして、ステップＳ２０３で読み出した画像を単に画像表示部１０６に表示する処理を行なう。そして、当該表示した１枚目の画像の輝度をＹ＿ｏｌｄにメモリ１０８に記憶する。
【００３３】
本制御フローの２回目以降の実行時、すなわち２枚目以降の画像への切り換え時は、現
在表示している画像の輝度がＹ＿ｏｌｄとして記憶されている。従ってこの場合、新たに読み込まれる画像（次に表示すべき画像）の輝度Ｙ＿ｎｏｗと前回表示した画像の輝度Ｙ＿ｏｌｄとから、画像が切り換わる時の輝度差分Ｙ＿ｓｕｂを算出することができる。
【００３４】
（具体的表示例の説明）
次に上述した図２のフローによって画像を表示する場合の具体例について説明する。図３は、記憶媒体１０１に記憶されている画像を示す例である。ここでは、全自動で画像の順次切り換えが行なわれるスライドショーやプレイリスト再生ではなく、視聴者によってその都度選択される画像を順次表示する場合を想定する。図３に示すように、画像ｉｍｇ＿３０１は画像全体が暗く、平均輝度レベルＡＰＬは‘１０’である。画像ｉｍｇ＿３０２は画像全体が明るく、平均輝度レベルＡＰＬは‘７０’である。画像ｉｍｇ＿３０３も画像全体が明るく、平均輝度レベルＡＰＬは‘７５’である。画像ｉｍｇ＿３０４は画像全体が暗く、平均輝度レベルＡＰＬは‘１５’である。なお平均輝度レベルＡＰＬは‘０’から‘１００’の間の値を持つものとする。これらの平均輝度レベルＡＰＬの値は、各画像が読み込まれる毎に輝度抽出部１０３によって各画像から抽出され、各画像の輝度としてシステムコントローラ１０７に出力される。ここでは、動作の説明を簡略化する為、すでに画像ｉｍｇ＿３０１が読み出され画像表示部１０６に表示されている状態からの動作について説明する。
【００３５】
画像ｉｍｇ＿３０１の表示後、ステップＳ２０１の操作で次の画像ｉｍｇ＿３０２への切り換えが指示されると、ステップＳ２０２の処理にてクロスフェードの実行要否を判定する為のクロスフェード実行閾値Ｙｔｈ＿ｃｆが読み込まれる。なお本実施例ではクロスフェード実行閾値Ｙｔｈ＿ｃｆ＝３０として説明する。次にステップＳ２０３の処理により画像ｉｍｇ＿３０２の画像が読み出される。次にステップＳ２０４の処理により画像ｉｍｇ＿３０２の平均輝度レベルＡＰＬが抽出され、今回読み込んだ画像（次回表示する画像）の輝度Ｙ＿ｎｏｗとして記憶される。画像ｉｍｇ＿３０２の平均輝度レベルＡＰＬは前述したように‘７０’であるのでＹ＿ｎｏｗ＝７０となる。次にステップＳ２０５の処理にて前回読み込んだ画像（現在表示している画像）と今回読み込んだ画像（次回表示する画像）との間の輝度差分Ｙ＿ｓｕｂを算出する。前回読み込んだ画像ｉｍｇ＿３０１の平均輝度レベルＡＰＬ＝１０なので、前回読み込んだ画像の輝度Ｙ＿ｏｌｄ＝１０である。輝度差分情報Ｙ＿ｓｕｂは、前回読み込んだ画像の輝度Ｙ＿ｏｌｄと今回読み込んだ画像の輝度Ｙ＿ｎｏｗとから式１によって計算される。
Ｙ＿ｓｕｂ＝｜Ｙ＿ｏｌｄ−Ｙ＿ｎｏｗ｜・・・（式１）
よって、画像ｉｍｇ＿３０１と画像ｉｍｇ＿３０２との輝度差分Ｙ＿ｓｕｂ＝｜１０−７０｜＝６０である。
【００３６】
次にステップＳ２０６の処理で画像ｉｍｇ＿３０２の画像に表示を切換えることが可能と判断された場合、ステップＳ２０７に移行し、輝度差分Ｙ＿ｓｕｂとクロスフェード実行閾値Ｙｔｈ＿ｃｆとを比較する。ここではＹ＿ｓｕｂ＝６０、Ｙｔｈ＿ｃｆ＝３０であり、Ｙ＿ｓｕｂ≧Ｙｔｈ＿ｃｆを満たすので、ステップＳ２０８へ移行する。そしてＳ２０８の処理により、画像ｉｍｇ＿３０１から画像ｉｍｇ＿３０２への切り換わりに遷移効果としてクロスフェードが付加される。これにより、画像表示部１０６の表示画像は、画像ｉｍｇ＿３０１からクロスフェード期間を経て画像ｉｍｇ＿３０２へと変化する。画像ｉｍｇ＿３０１と画像ｉｍｇ＿３０２との輝度差分は、これら２つの画像の切り換えが即座に行なわれたとしたら視聴者に強い視覚的刺激を与え得る大きさだが、クロスフェード期間を挟むことにより、表示画像の輝度変化率が緩慢になる。従って、視聴者に強い視覚的刺激を感じさせることを抑制できる。
【００３７】
ステップＳ２１０では現在表示している画像の輝度Ｙ＿ｎｏｗの値‘７０’を前回読み込んだ画像の輝度Ｙ＿ｏｌｄとして記憶して処理を終える。以降、次の画像ｉｍｇ＿３０
３やｉｍｇ＿３０４への切り換えにおいても、上述したフローが繰り返される。
【００３８】
なお、次に画像ｉｍｇ＿３０２から画像ｉｍｇ＿３０３への切り換えが指示され、画像ｉｍｇ＿３０３を読み込んでステップＳ２０５の処理に移行した場合は、Ｙ＿ｏｌｄ＝７０、Ｙ＿ｎｏｗ＝７５であるから、Ｙ＿ｓｕｂ＝５となる。従って、Ｙ＿ｓｕｂ≧Ｙｔｈ＿ｃｆを満たさないので、ステップＳ２０７の比較の結果ステップＳ２０９へ移行し、通常再生が実行される。すなわち、画像ｉｍｇ＿３０２から画像ｉｍｇ＿３０３へ即座に表示が切り換えられ、遷移効果は付加されない。
【００３９】
また、次に画像ｉｍｇ＿３０３から画像ｉｍｇ＿３０４への切り換えが指示され、画像ｉｍｇ＿３０４を読み込んでステップＳ２０５の処理に移行した場合は、Ｙ＿ｏｌｄ＝７５、Ｙｎｏｗ＝１５であるから、Ｙ＿ｓｕｂ＝６０となる。従って、Ｙｓｕｂ≧Ｙｔｈ＿ｃｆを満たすので、ステップＳ２０７の比較の結果ステップＳ２０８へ移行し、画像ｉｍｇ＿３０３から画像ｉｍｇ＿３０４への切り換わりにクロスフェードを付加する画像処理が実行される。
【００４０】
図４は上述した遷移効果制御によって複数の画像の切り換え表示を行った場合の、経過時間と表示輝度の変化との関係を示す図である。図４における（ａ）〜（ｄ）はそれぞれ画面表示部１０６に画像ｉｍｇ＿３０１〜画像ｉｍｇ＿３０４のみが表示されている期間を示す。図４の（ｘ１）及び（ｘ２）は画像ｉｍｇ＿３０１から画像ｉｍｇ＿３０２へ切り換え時に挿入されるクロスフェード期間及び画像ｉｍｇ＿３０３から画像ｉｍｇ＿３０４へ切り換え時に挿入されるクロスフェード期間を示す。また図４の実線は各期間における表示輝度の変化を示す。前述したように画像ｉｍｇ＿３０１から画像ｉｍｇ＿３０２への表示切り換わり時には、クロスフェードの画像処理が行われる。すなわち、画像ｉｍｇ＿３０１の表示期間（ａ）と画像ｉｍｇ＿３０２の表示期間（ｂ）との間に、クロスフェード期間（ｘ１）が挿入される。クロスフェード期間（ｘ１）においては、徐々に変化する重み付けによって画像ｉｍｇ＿３０１と画像ｉｍｇ＿３０２とが合成されて表示される。従って、２つの画像が合成されて表示された画像、すなわちクロスフェード効果が付加された画像の表示輝度も、クロスフェード期間（ｘ１）における実線が示すように徐々に増加する。上述したように、画像ｉｍｇ＿３０１から画像ｉｍｇ＿３０２への切り換え時に付加されるクロスフェードは、クロスフェード期間（ｘ１）における輝度変化率が第２閾値以下になるように決定されている。従って、画像ｉｍｇ＿３０１から画像ｉｍｇ＿３０２への切り換え時に視聴者に強い視覚的刺激を感じさせてしまうことを抑制することが可能となる。
【００４１】
次に、画像ｉｍｇ＿３０２から画像ｉｍｇ＿３０３へ表示切り換わり時には通常表示を行う。その結果、図４に示すように画像ｉｍｇ＿３０２の表示期間（ｂ）から画像ｉｍｇ＿３０３の表示期間（ｃ）への切り換わり時の表示輝度は、実線で示すように階段関数的に変化する。但し、この画像切り換わり時の輝度の変化量は、画像ｉｍｇ＿３０１から画像ｉｍｇ＿３０２への切り換わり時の輝度の変化量と比べてかなり小さい。従って、画像ｉｍｇ＿３０２から画像ｉｍｇ＿３０３への切り換わり時にはクロスフェードを付加しなくても視聴者に強い視覚的刺激を感じさせることを抑制できる。このように、切り換えられる２つの画像間の輝度変化が閾値Ｙｔｈ＿ｃｆ未満の場合には、画像切り換わり時にクロスフェード期間が挿入されないので、画像の切り換えに要する時間が不必要に長くなることも抑制することが可能となる。
【００４２】
次に、画像ｉｍｇ＿３０３から画像ｉｍｇ＿３０４への表示切り換わり時にも、クロスフェードの画像処理が行われる。その結果、図４で画像ｉｍｇ＿３０３の表示期間（ｃ）と画像ｉｍｇ＿３０４の表示期間（ｄ）との間にクロスフェード期間（ｘ２）が挿入され、クロスフェード期間（ｘ２）における表示輝度は実線で示すように徐々に減少する。
【００４３】
以上説明したように、本実施例に係る画像表示装置は、複数の画像を順次切り換えて連続的に表示する画像表示において、各画像の輝度を表す特性値（平均輝度レベル）を取得する取得手段（輝度抽出部１０３）を有する。この取得手段の出力する特性値の差分（平均輝度レベルの差分Ｙ＿ｓｕｂ）に応じて、画像が切り換わり期間を有して切り換わり、切り換わり期間における表示輝度の変化率を低下させる遷移効果（クロスフェード）を付加する画像処理を行う。すなわち、本実施例では輝度差分Ｙ＿ｓｕｂが閾値Ｙｔｈ＿ｃｆ以上である場合に、画像の切り換わりにクロスフェードを付加する画像処理を実行する。これにより、２つの画像の輝度が大きく異なる場合であっても、当該２つの画像の切り換わり期間において表示輝度がゆるやかに変化するようにできる。よって画像の切り換わり時に視聴者に強い視覚的刺激を感じさせることを抑制することが可能となる。また、輝度差分Ｙ＿ｓｕｂが閾値Ｙｔｈ＿ｃｆよりも小さい場合はクロスフェードを付加する画像処理が行なわれず、通常の切り換えが行われる。よって、画像切り換えに要する時間が不必要に長くならないようにすることも可能となる。このように、本実施例に係る画像表示装置によれば、２つの画像の切り換わりに、当該２つの画像の輝度差分に適応的な遷移効果を付加するので、視聴者への強い視覚的刺激の抑制と軽快な連続画像再生とを好適に両立することが可能となる。
【００４４】
（実施例２）
次に、図１を用いて本発明の実施例２を説明する。実施例１における図１の説明で述べたように、図１の括弧付符号５００〜５０３及び破線で記載された照度センサ５０１は本実施例に係る画像表示装置５００の構成要素である。また、符号１０１〜１０６及び１０９は実施例１及び本実施例の両方に共通する構成要素であり、実施例１で既に説明したと同様の機能であるから、ここでは説明を省略する。図１に示す画像表示装置５００は、画像表示装置５００の設置場所の照度を測定する照度センサ５０１を備える。照度センサ５０１は測定した照度を後述するシステムコントローラ５０２に出力する。本実施例の照度センサ５０１は、本発明における照度取得手段に相当する。システムコントローラ５０２は、実施例１で説明した各ブロック及び照度センサ５０１を含む画像表示装置５００の各ブロックを統括的に制御する。メモリ５０３は、照度センサ５０１が測定した照度に対応した閾値テーブルを記憶しており、システムコントローラ５０２に接続されている。
【００４５】
（画像表示装置５００の画像表示動作の説明）
次に、本発明に係る画像表示装置５００の動作について図５のフローチャートを用いて説明する。なお図５のフローチャートは図１におけるシステムコントローラ５０２が各ブロックを制御することにより行う。
【００４６】
まずステップＳ６０１の処理において、操作部１０９からの操作により画像再生の実行が指示されると、ステップＳ６０２に移行し、照度センサ５０１から照度Ｌｘを読み込む。
【００４７】
次にステップＳ６０３に移行し、照度Ｌｘに対応したクロスフェード実行閾値Ｙｔｈ＿ｃｆ＿Ｌを読み込む処理を行う。ここで照度Ｌｘとクロスフェード実行閾値Ｙｔｈ＿ｃｆ＿Ｌとの関係を示す閾値テーブルの一例を図６に示す。図６に示すように、照度Ｌｘが大きくなるに従ってクロスフェード実行閾値Ｙｔｈ＿ｃｆ＿Ｌも大きくなる。図６の例では、クロスフェード実行閾値Ｙｔｈ＿ｃｆ＿Ｌは照度Ｌｘに応じて２０〜５０の間で変化し、照度Ｌｘが５０以下の場合はクロスフェード実行閾値は２０で一定、照度Ｌｘが５００以上の場合は５０で一定の特性となっている。ステップＳ６０３の処理では、このように定義された閾値テーブルから、照度Ｌｘに対応したクロスフェード実行閾値Ｙｔｈ＿ｃｆ＿Ｌを読み込む。
【００４８】
なお、その後の処理は実施例１の図２で説明したフローと同様の処理を行う。ステップＳ６０３以降のフローで本実施例に特徴的な処理は、ステップＳ６０８の処理において、輝度差分Ｙ＿ｓｕｂと比較する閾値として、ステップＳ６０３の処理で読み込んだクロスフェード実行閾値Ｙｔｈ＿ｃｆ＿Ｌを用いる点である。図５に示すフローに従って画像の切り換え表示を制御することにより、画像表示装置５００の設置された場所が暗く照度が低い場合は、クロスフェード実行閾値Ｙｔｈ＿ｃｆ＿Ｌが小さくなる。例えば画像表示装置５００の設置場所が非常に暗く、照度Ｌｘが５０以下の場合、図６のテーブルによればクロスフェード実行閾値Ｙｔｈ＿ｃｆ＿Ｌは‘２０’に設定される。その結果、２つの画像の輝度差分Ｙ＿ｓｕｂが、実施例１ではクロスフェード処理が行なわれないような比較的小さい値（２０〜３０）であっても、本実施例の制御ではクロスフェード処理が実行されるようになる。
【００４９】
また、画像表示装置５００の設置された場所が明るく照度が高い場合は、クロスフェード実行閾値Ｙｔｈ＿ｃｆ＿Ｌが大きくなる。例えば画像表示装置５００の設置場所が非常に明るく、照度Ｌｘが５００以上の場合、図６のテーブルによればクロスフェード実行閾値Ｙｔｈ＿ｃｆ＿Ｌは‘５０’に設定される。その結果、２つの画像の輝度差分Ｙ＿ｓｕｂが、実施例１ではクロスフェード処理が行なわれるような比較的大きい値（３０〜５０）であっても、本実施例の制御ではクロスフェード処理が実行されない。すなわち、切り換えられる２つの画像の輝度差分がかなり大きい場合にだけクロスフェード処理が実行されるようになる。
【００５０】
図６の閾値テーブルは、視聴環境が暗くなるほど、画像の切り換わりにおける２つの画像の輝度変化に対して視聴者の感じる視覚的刺激が強くなる傾向に鑑みて設定されたものである。すなわち、照度センサ５０１によって取得された照度が大きくなるほどクロスフェード実行閾値Ｙｔｈ＿ｃｆ＿Ｌを大きくする。図６の閾値テーブルの例に示すように、照度がある程度以上高い領域や低い領域では、照度に対してクロスフェード実行閾値Ｙｔｈ＿ｃｆ＿Ｌを一定値にしても良い。クロスフェード実行閾値Ｙｔｈ＿ｃｆ＿Ｌを照度に応じた可変値とすることにより、輝度変化に対してより敏感になる暗めの視聴環境においてクロスフェード処理が行われ易くすることができる。このように、本実施例に係る画像表示装置によれば、２つの画像の切り換わりに、当該２つの画像の輝度差分のみならず視聴環境の照度に対しても適応的な遷移効果が付加されるので、視聴者の連続表示画像の鑑賞体験を向上させることが可能となる。
【００５１】
（その他の照度に対応した閾値テーブルの説明）
画像表示装置は、画像の表示画質設定（明るさ、色相、彩度、鮮鋭度、コントラスト等の表示パラメータ）を変更する機能を有していることがある。そして、種々のソース画像に適合する表示画質設定の少なくともいずれかを変更する処理に用いられるパラメータの設定値の集合を画質モード等の名称で有し、それら複数の画質モードを切り換え可能な機能を有していることがある。画質モードとしては、例えば、映画を表示する場合に適するシネマモード、ニュース等を表示する場合に適するスタンダードモード、スポーツや音楽番組を表示する場合に適するダイナミックモード等がある。このような画質モードの変更機能を有する画像表示装置に対して本実施例を適用する場合には、図１のブロック図において、画像表示装置において選択されている表示画質設定（画質モード）を取得する設定取得手段を更に備える（図示省略）。そして、照度Ｌｘに応じてクロスフェード実行閾値Ｙｔｈ＿ｃｆ＿Ｌを定める閾値テーブルを、取得した画質モードに応じて可変としても良い。
【００５２】
図７は、画質モードに応じて異なるように定められた、照度Ｌｘとクロスフェード実行閾値Ｙｔｈ＿ｃｆ＿Ｌとの関係の一例を示す図である。図７において実線８０１は、シネマモードが選択されている場合の、照度Ｌｘとクロスフェード実行閾値Ｙｔｈ＿ｃｆ＿Ｌ
との関係を示す。同様に実線８０２はスタンダードモードが選択されている場合の同関係を示し、実線８０３はダイナミックモードが選択されている場合の同関係を示す。図７に示す例では、同一照度Ｌｘに対応するクロスフェード実行閾値Ｙｔｈ＿ｃｆ＿Ｌの値は、シネマモード→スタンダードモード→ダイナミックモードの順で大きくなる特性となっている。このように照度Ｌｘとクロスフェード実行閾値Ｙｔｈ＿ｃｆ＿Ｌとの関係を画質モード毎に持ち、画像表示装置において現在選択されている画質モードを取得する。更に、画質モードに応じて照度Ｌｘとクロスフェード実行閾値Ｙｔｈ＿ｃｆとの関係を可変とすることにより、画質モードに応じた最適な画像切り換え制御を行うことができる。例えば、シネマモードでは、切り換えられる２つの画像の輝度差分が、他の画質モードにおいてはクロスフェード処理が行なわれないような小さい値であっても、クロスフェード処理を行なうようにすることができる。これにより、画像の切り換わり時にクロスフェード処理がより実行され易くなるので、画像切り換わり時に視聴者に与える視覚的刺激がより一層緩和され、落ち着いた雰囲気で画像切り換え表示を行うことが可能となる。一方、ダイナミックモードでは、切り換えられる２つの画像の輝度差分が、他の画質モードにおいてはクロスフェード処理が行なわれるような大きい値であっても、クロスフェード処理が行なわれないようにすることができる。これにより、画像切り換わり時に単純な表示切り換えが多用されるようになる。その結果、ダイナミックな雰囲気で画像切り換えを行うことが可能となる。
【００５３】
また、実施例２に限らず、実施例１の構成においても、画質モードに応じてクロスフェード実行閾値Ｙｔｈ＿ｃｆを可変にすることが可能である。例えば、シネマモードではＹｔｈ＿ｃｆ＝２０、スタンダードモードではＹｔｈ＿ｃｆ＝３０、ダイナミックモードではＹｔｈ＿ｃｆ＝４０のように設定すれば、上述したのと同様に、画質モードに応じた最適なクロスフェード処理を行なうことが可能となる。
【００５４】
また、一般的にシネマモードでは他のモードよりも画面表示の明るさが抑えられる。そのため、切り換えられる２つの画像の輝度差分が大きくても、画像表示装置に表示される段階では輝度差分がそれほど大きく感じられず、従って視聴者が強い視覚的刺激を感じにくいと考えられる。一方、ダイナミックモードでは他のモードよりも画面表示の明るさやコントラストが高く設定される。そのため、切り換えられる２つの画像の輝度差分がそれほど大きくなくても、画像表示装置に表示される段階では輝度差分が大きく感じられ、従って視聴者が強い視覚的刺激を感じ易いと考えられる。従って、図７に示す例とは逆に、同一照度Ｌｘに対応するクロスフェード実行閾値Ｙｔｈ＿ｃｆ＿Ｌの値が、シネマモード→スタンダードモード→ダイナミックモードの順で小さくなる特性としても良い。
【００５５】
（実施例３）
次に、本発明の実施例３を説明する。本実施例における画像表示装置の構成は実施例１で説明した図１に示す構成と同様なので説明を省略する。本実施例は、スライドショーやプレイリスト再生と呼ばれている画像の自動再生表示を行なう場合を想定した本発明の適用例であり、予め再生及び表示する画像及び順序が予測できる場合に好適な実施例である。前述した実施例１及び実施例２では、現在表示している画像と次に表示する画像との輝度差分に基づいて、連続表示における当該２つの画像の切り換わりに遷移効果としてクロスフェードを付加する画像処理を行なう例について説明した。これに対し、本実施例では、システムコントローラ１０７は、次に表示する画像のさらにその次に表示を予定している画像の輝度にも基づいて、現在表示している画像から次に表示する画像への切り換わりに付加する遷移効果を制御する点に特徴がある。
【００５６】
すなわち、切り換えられる２つの画像を表示順序の早い方から第１画像及び第２画像とし、表示順序が第２画像の次の画像を第３画像とした場合に、第１画像と第２画像との輝度の差分である第１差分と第２画像と第３画像との輝度の差分である第２差分を取得する
。そして、第１差分及び第２差分に応じて第１画像から第２画像への切り換わりに付加する遷移効果を制御する。これらの用語で実施例１を説明すれば、第１差分がクロスフェード実行閾値Ｙｔｈ＿ｃｆ以上か否かに応じて、第１画像から第２画像への切り換わりへクロスフェードを付加するか否かを決定する実施例であった。本実施例は、第１差分がクロスフェード実行閾値Ｙｔｈ＿ｃｆ未満の場合であっても、第２差分の値によっては、第１画像から第２画像への切り換わりへクロスフェードを付加する場合があることを特徴とする。
【００５７】
この制御を行なうために、本実施例における画像読み出し部１０２は、スライドショーを行う順序を規定したテーブルやプレイリスト再生に係る再生リストのデータを参照する。そして現在表示している画像（第１画像）から次に表示する画像（第２画像）への切り換わり時に、次に表示する画像（第２画像）のみならず、次の次に表示する予定の画像（第３画像）をも読み込む。
【００５８】
（本実施例の画像表示動作の説明）
次に、本実施例における画像表示装置１００の動作について図８のフローチャートを用いて説明する。なお図８のフローチャートは図１におけるシステムコントローラ１０７が各ブロックを制御する事により行う。
【００５９】
まずステップＳ９０１の処理において、操作部１０９からの操作により画像再生の実行が指示されると、ステップＳ９０２に移行し、クロスフェード実行閾値Ｙｔｈ＿ｃｆが読み出される。なお、実施例２と同様に、照度センサを設けて視聴環境の照度に応じてクロスフェード実行閾値Ｙｔｈ＿ｃｆを可変値としたり、画質モードに応じてクロスフェード実行閾値Ｙｔｈ＿ｃｆを可変値としたりしても良い。
【００６０】
次にステップＳ９０３の処理に移行し、記憶媒体１０１からの画像を読み出す処理を行う。ここでは、スライドショーの順序を規定したテーブルやプレイリスト再生に係る再生リストのデータを参照し、次に表示する画像（第２画像）及び次の次に表示する予定の画像（第３画像）を読み込む。
【００６１】
次にステップＳ９０４の処理に移行し、次に表示する画像（第２画像）の平均輝度レベルＹ０を抽出し、次に表示する画像（第２画像）の輝度Ｙ＿ｎｏｗとして記憶する。更に、次の次に表示する予定の画像（第３画像）の平均輝度レベルＹ１を抽出し、次の次に表示する予定の画像（第３画像）の輝度Ｙ＿ｎｅｘｔとして記憶する。なお、次に表示する画像（第２画像）がスライドショーやプレイリストにおける最後の画像の場合、すなわち、次の次に表示する画像（第３画像）が存在しない場合については後述する。
【００６２】
そしてステップＳ９０５の処理に移行し、現在表示している画像（第１画像）の輝度Ｙ＿ｏｌｄと次に表示する画像（第２画像）の輝度Ｙ＿ｎｏｗとの差分（第１差分）を｜Ｙ＿ｏｌｄ−Ｙ＿ｎｏｗ｜で算出し、次回の輝度差分Ｙ＿ｓｕｂ＿ｎｏｗとして記憶する。更に、次に表示する画像（第２画像）の輝度Ｙ＿ｎｏｗと次の次に表示する予定の画像（第３画像）の輝度Ｙ＿ｎｅｘｔとの差分（第２差分）を｜Ｙ＿ｎｏｗ−Ｙ＿ｎｅｘｔ｜で算出し、今回の輝度差分Ｙ＿ｓｕｂ＿ｎｅｘｔとして記憶する。
【００６３】
次にステップＳ９０６の処理に移行し、画像切換検出部１０４からの画像切換検出信号に基づいて表示画像の切り換えが可能になったか否かを判定する処理を行う。表示画像の切り換えが可能になった場合ステップＳ９０７の処理に移行する。
【００６４】
ステップＳ９０７の処理では、今回の輝度差分（第１差分）Ｙ＿ｓｕｂ＿ｎｏｗとクロスフェード実行閾値Ｙｔｈ＿ｃｆとを比較する。
【００６５】
ステップＳ９０７において、今回の輝度差分（第１差分）Ｙ＿ｓｕｂ＿ｎｏｗがクロスフェード実行閾値Ｙｔｈ＿ｃｆ以上と判定された場合（ステップＳ９０７：ＹＥＳ）、ステップＳ９０８の処理に移行する。ステップＳ９０８の処理では、現在表示している画像（第１画像）から次に表示する画像（第２画像）への切り換わりにクロスフェード１の遷移効果を付加する画像処理を実行する。クロスフェード１は、実施例１で説明したクロスフェードと同様に決定される遷移効果である。すなわち、画像Ａから画像Ｂへの切り換わりに、徐々に変化する重み付けによって画像Ａ及び画像Ｂを合成した画像を表示する期間を挿入する。クロスフェード１は、画像Ａから画像Ｂへの切り換わりにおける表示輝度の変化率が第２閾値以下となるように定められている。
【００６６】
一方、ステップＳ９０７において、今回の輝度差分（第１差分）Ｙ＿ｓｕｂ＿ｎｏｗがクロスフェード実行閾値Ｙｔｈ＿ｃｆ未満と判定された場合（ステップＳ９０７：ＮＯ）、ステップＳ９０９の処理に移行する。ステップＳ９０９の処理では、次回の輝度差分（第２差分）Ｙ＿ｓｕｂ＿ｎｅｘｔとクロスフェード実行閾値Ｙｔｈ＿ｃｆとを比較する。
【００６７】
ステップＳ９０９において、次回の輝度差分（第２差分）Ｙ＿ｓｕｂ＿ｎｅｘｔがクロスフェード実行閾値Ｙｔｈ＿ｃｆ以上と判定された場合（ステップＳ９０９：ＹＥＳ）、ステップＳ９１０の処理に移行する。ステップＳ９１０の処理では、現在表示している画像（第１画像）から次に表示する画像（第２画像）への切り換わりにクロスフェード２の遷移効果を付加する画像処理を実行する。クロスフェード２は、クロスフェード１と同様に画像Ａに換わって新たな画像Ｂを表示する場合に、画像Ａに対する画像Ｂの重み付けを時間の経過と共に少しずつ増加させ、表示画像を徐々に画像Ａから画像Ｂに変化させる処理である。クロスフェード１とクロスフェード２の処理の違いは、画像Ａから画像Ｂに切換わる時間がクロスフェード２はクロスフェード１よりも短く、クロスフェード２では表示輝度の変化率に特に制限は無いことである。なお、クロスフェード２はクロスフェード１と同様のクロスフェードであっても良い。
【００６８】
ステップＳ９０９において、次回の輝度差分（第２差分）Ｙ＿ｓｕｂ＿ｎｅｘｔがクロスフェード実行閾値Ｙｔｈ＿ｃｆ未満と判定された場合（ステップＳ９０９：ＮＯ）、ステップＳ９１１の処理に移行する。ステップＳ９０９の処理では、現在表示している画像から次に表示する画像への切り換えを通常再生によって行なう。すなわち単純に画像を切り換える処理を実行する。
【００６９】
なお、次に表示する画像がスライドショーやプレイリストにおける最後の画像であり、次の次に表示する画像が存在しない場合、ステップＳ９０４におけるＹ＿ｎｅｘｔの取得及びステップＳ９０５におけるＹ＿ｓｕｂ＿ｎｅｘｔの算出を行なわない。そして、ステップＳ９０７でＹＥＳと判定された場合にはステップＳ９０８の処理に移行してクロスフェード１を実行し、ステップＳ９０７でＮＯと判定された場合にステップＳ９１１の処理に移行して通常再生を実行する。
【００７０】
ステップＳ９０８、ステップＳ９１０又はステップＳ９１１のいずれかの処理が終了すると、ステップＳ９１２の処理に移行し、輝度Ｙ＿ｎｏｗを輝度Ｙ＿ｏｌｄとしてメモリ１０８に記憶してステップＳ９１３にて処理を終える。
【００７１】
（具体的表示例の説明）
次に上述した図８のフローによって画像を表示する場合の具体例について説明する。図９は、スライドショー再生される画像とその再生順序の例である。画像読み出し部１０２は、図示しないプレイリストデータを参照することにより、図９に示す４つの画像がｉｍｇ＿１０１→ｉｍｇ＿１０２→ｉｍｇ＿１０３→ｉｍｇ＿１０４の順番で自動再生される
予定であることを認識することができる。なお実施例１と同様に、本実施例でも各画像の輝度として各画像の平均輝度レベルＡＰＬを用いる。平均輝度レベルＡＰＬは‘０’から‘１００’の間の値を持つ。各画像の平均輝度レベルＡＰＬの値は、図１の輝度抽出部１０３により各画像から抽出され、システムコントローラ１０７に出力される。
【００７２】
説明を簡略化する為、すでに図９の画像ｉｍｇ＿１０１を読み出して画像表示部１０６に表示している状態からの動作について説明する。すなわち、現在表示している画像（第１画像）の輝度Ｙ＿ｏｌｄとして、画像ｉｍｇ＿１０１の平均輝度レベルＡＰＬが記憶されている状態である。図９の例では、画像ｉｍｇ＿１０１の平均輝度レベルＡＰＬは‘１０’なので、現在表示している画像（第１画像）の輝度Ｙ＿ｏｌｄ＝１０が記憶されている。画像ｉｍｇ＿１０１の表示後、ステップＳ９０１で次の画像再生が指示されると、ステップＳ９０２の処理にてクロスフェード実行閾値Ｙｔｈ＿ｃｆが読み込まれる。なお本実施例でもＹｔｈ＿ｃｆ＝３０として説明する。次にステップＳ９０３の処理により次に表示する画像（第２画像）である画像ｉｍｇ＿１０２及び次の次に表示する予定の画像（第３画像）である画像ｉｍｇ＿１０３が読み出される。次にステップＳ９０４の処理により画像ｉｍｇ＿１０２の平均輝度レベルＹ０が抽出され、次に表示する画像（第２画像）の輝度Ｙ＿ｎｏｗとして記憶される。更に、画像ｉｍｇ＿１０３の平均輝度レベルＹ１が抽出され、次の次に表示する予定の画像（第３画像）の輝度Ｙ＿ｎｅｘｔとして記憶される。図９の例では、画像ｉｍｇ＿１０２の平均輝度レベルＡＰＬは‘３０’、画像ｉｍｇ＿１０３の平均輝度レベルＡＰＬは‘７０’である。よって、次に表示される画像（第２画像）の輝度Ｙ＿ｎｏｗ＝３０、次の次に表示される予定の画像（第３画像）の輝度Ｙ＿ｎｅｘｔ＝７０が記憶される。
【００７３】
次にステップＳ９０５の処理で、現在表示している画像（第１画像）（ｉｍｇ＿１０１）の輝度Ｙ＿ｏｌｄと次に表示する画像（第２画像）（ｉｍｇ＿１０２）の輝度Ｙ＿ｎｏｗとの差分（第１差分）を算出し、今回の輝度差分Ｙ＿ｓｕｂ＿ｎｏｗとして記憶する。ここでは、今回の輝度差分Ｙ＿ｓｕｂ＿ｎｏｗ＝｜Ｙ＿ｏｌｄ−Ｙ＿ｎｏｗ｜＝｜１０−３０｜＝２０である。更に、次に表示する画像（第２画像）（ｉｍｇ＿１０２）の輝度Ｙ＿ｎｏｗと次の次に表示する予定の画像（第３画像）（ｉｍｇ＿１０３）の輝度Ｙ＿ｎｅｘｔとの差分（第２差分）を算出し、次の輝度差分Ｙ＿ｓｕｂ＿ｎｅｘｔとして記憶する。ここでは、次の輝度差分Ｙ＿ｓｕｂ＿ｎｅｘｔ＝｜Ｙ＿ｎｏｗ−Ｙ＿ｎｅｘｔ｜＝｜３０−７０｜＝４０である。
【００７４】
次にステップＳ９０６の処理において、表示画像を画像ｉｍｇ＿１０２に切り換え可能と判断されるとステップＳ９０７に移行する。
【００７５】
ステップＳ９０７の処理において、今回の輝度差分Ｙ＿ｓｕｂ＿ｎｏｗとクロスフェード実行閾値Ｙｔｈ＿ｃｆとを比較する。図９の例では、今回の輝度差分Ｙ＿ｓｕｂ＿ｎｏｗ＝２０、クロスフェード実行閾値Ｙｔｈ＿ｃｆ＝３０であり、Ｙ＿ｓｕｂ＿ｎｏｗ≧Ｙｔｈ＿ｃｆを満たさないので、ステップＳ９０９の処理に移行する。
【００７６】
ステップＳ９０９の処理においては、次回の輝度差分Ｙ＿ｓｕｂ＿ｎｅｘｔとクロスフェード実行閾値Ｙｔｈ＿ｃｆとを比較する。図９の例では、次回の輝度差分Ｙ＿ｓｕｂ＿ｎｅｘｔ＝４０、クロスフェード実行閾値Ｙｔｈ＿ｃｆ＝３０であり、Ｙ＿ｓｕｂ＿ｎｅｘｔ≧Ｙｔｈ＿ｃｆを満たすので、ステップＳ９１０の処理に移行する。
【００７７】
そして、ステップＳ９１０の処理においては、画像ｉｍｇ＿１０１から画像ｉｍｇ＿１０２への切り換わりにクロスフェード２の遷移効果を付加する画像処理を実行する。
【００７８】
その後ステップＳ９１２の処理に移行し、輝度Ｙ＿ｎｏｗの値‘３０’（画像ｉｍｇ＿
１０２の輝度）を輝度Ｙ＿ｏｌｄの値としてメモリ１０８に記憶し、処理を終える。
【００７９】
以降、画像ｉｍｇ＿１０３及び画像ｉｍｇ＿１０４に表示が順次切り換わっていく場合にも、上述したフローが繰り返される。画像ｉｍｇ＿１０２から画像ｉｍｇ＿１０３への切り換わる時においては、画像ｉｍｇ＿１０２の平均輝度レベルＡＰＬは‘３０’、画像ｉｍｇ＿１０３の平均輝度レベルＡＰＬは‘７０’である。よって、現在表示している画像（第１画像）（ｉｍｇ＿１０２）の輝度Ｙ＿ｏｌｄ＝３０、次に表示する画像（第２画像）（ｉｍｇ＿１０３）の輝度Ｙ＿ｎｏｗ＝７０である。従って、今回の輝度差分Ｙ＿ｓｕｂ＿ｎｏｗ＝｜３０−７０｜＝４０となり、Ｙｔｈ＿ｃｆ＝３０であるから、ステップＳ９０７においてＹ＿ｓｕｂ＿ｎｏｗ≧Ｙｔｈ＿ｃｆを満たす。よって、ステップＳ９０８の処理に移行し、第１画像（ｉｍｇ＿１０２）から第２画像（ｉｍｇ＿１０３）への切り換わりにクロスフェード１を付加する。以降、同様に、現在表示している画像（第１画像）と次に表示する画像（第２画像）との輝度差分（第１差分）と、次に表示する画像（第２画像）と次の次に表示する画像（第３画像）との輝度差分（第２差分）を取得する。そして、第１差分と第２差分に応じて、現在表示している画像（第１画像）から次に表示する画像（第２画像）への切り換わりに付加する遷移効果を決定していく。
【００８０】
図１０は、上述した画像切り換え制御によってスライドショー再生よる複数画像の順次切り換え表示を行った場合の経過時間と表示輝度の変化との関係を示す図である。図１０における（ａ）〜（ｄ）はそれぞれ画像表示部１０６に画像ｉｍｇ＿１０１〜画像ｉｍｇ＿１０４のみが表示されている期間を示す。図１０の（ｘ１）及び（ｘ２）は画像ｉｍｇ＿１０１から画像ｉｍｇ＿１０２への切り換え時に挿入されるクロスフェード期間及び画像ｉｍｇ＿１０２から画像ｉｍｇ＿１０３への切り換え時に挿入されるクロスフェード期間を示す。また図１０の実線は各期間における表示輝度の変化を示す。
【００８１】
前述したように画像ｉｍｇ＿１０１から画像ｉｍｇ＿１０２への表示切り換わりには、クロスフェード２の遷移効果を付加する画像処理が行われる。すなわち、画像ｉｍｇ＿１０１の表示期間（ａ）と画像ｉｍｇ＿１０２の表示期間（ｂ）との間に、クロスフェード２期間（ｘ１）が挿入される。クロスフェード２期間（ｘ１）においては、徐々に変化する重み付けによって画像ｉｍｇ＿１０１と画像ｉｍｇ＿１０２とが合成されて表示される。従って、２つの画像が合成されて表示された画像、すなわちクロスフェード２が付加された画像の表示輝度も、図１０のクロスフェード期間（ｘ１）において実線で示すように、クロスフェード１期間（ｘ２）と比較して短時間ではあるが、徐々に変化するようになる。
【００８２】
また画像ｉｍｇ＿１０２から画像ｉｍｇ＿１０３への表示切り換わりには、クロスフェード１の遷移効果を付加する画像処理が行われる。すなわち、画像ｉｍｇ＿１０２の表示期間（ｂ）と画像ｉｍｇ＿１０３の表示期間（ｃ）との間に、クロスフェード１期間（ｘ２）が挿入される。クロスフェード１期間（ｘ２）においては、徐々に変化する重み付けによって画像ｉｍｇ＿１０２と画像ｉｍｇ＿１０３とが合成されて表示される。従って、２つの画像が合成されて表示された画像、すなわちクロスフェード１が付加された画像の表示輝度も、図１０でクロスフェード期間（ｘ２）において実線で示すように徐々に変化する。なお次の画像ｉｍｇ＿１０３から画像ｉｍｇ＿１０４への表示切り換わりでは通常再生を行なう。画像ｉｍｇ＿１０３と画像ｉｍｇ＿１０４との輝度差分Ｙ＿ｓｕｂ＿ｎｏｗがクロスフェード実行閾値Ｙｔｈ＿ｃｆ未満で、且つ画像ｉｍｇ＿１０４の更に次に表示する画像は存在しないからである。
【００８３】
以上説明したように、本実施例に係る画像表示装置の構成及び画像切り換え制御によれば、複数の画像を自動的に切り換え表示するための既定の順序情報に基づいて、画像の切り換わりに付加する遷移効果を制御できる。すなわち、表示順序の連続する画像間の輝度
差分を、次に切り換えられる２つの画像についてのみならず、それ以降の将来に切り換えられる予定の２つの画像についても算出することが可能となる。そして、将来切り換えられる予定の２つの画像の輝度差分をも考慮して、次に切り換えられる２つの画像の切り換わりへ付加する遷移効果を制御することができる。本実施例では、次に切り換えられる２つの画像（第１画像と第２画像）の輝度の差分（第１差分）と、次の次に切り換えられる２つの画像（第２画像と第３画像）の輝度の差分（第２差分）を算出する。そして、これら２つの輝度差分に基づいて、次に切り換えられる２つ画像（第１画像と第２画像）の切り換わりへ付加する遷移効果を制御する。
【００８４】
その結果、輝度差分が大きい画像の切り換わりにのみクロスフェードを付加するのではなく、その前に行なわれる画像切り換わりにも弱めのクロスフェードを付加することができる。これにより、クロスフェードが付加された画像切り換えが突発的に行なわれるのではなく、２回連続してクロスフェードが付加された画像切り換えが行なわれるようになる。よって、複数画像の自動的な連続表示において、視聴者により自然な流れの画像鑑賞体験を提供することが可能となる。
【００８５】
（変形例）
以上述べた各実施例における「画像」は、静止画像であっても動画像であっても良い。複数の動画像を順次切り換えて連続的に表示する場合、動画像から輝度を抽出し、表示順序の連続する動画像間の輝度差分と閾値との比較結果に応じて、動画像の表示切り換わり時に表示輝度変化率を小さくする遷移効果を付加することができる。このような画像処理を行なうことにより、動画像の切り換わり時においても、視聴者に強い視覚的刺激を感じさることを抑制する効果が期待できる。
【００８６】
また、上記各実施例では、画像の輝度として平均輝度レベルＡＰＬを例示したが、画像の輝度（明るさ）を表す特性値であれば良い。例えば、画像中の最大輝度レベル（ピーク輝度）、中間値、最頻値等でも良い。また、画像の輝度を表す特性値は、画像全体から取得しても良いし、画像の一部（例えば中央部）のみから取得しても良い。
【００８７】
また、上記各実施例では、画像の切り換わりにおける表示輝度変化率を小さくする遷移効果として、クロスフェードを例示したが、同様に連続して切り換えられる２画像を合成して表示するワイプやスクロール等の遷移効果を付加する画像処理でも良い。また、クロスフェードのように２つの画像を合成する遷移効果ではなく、単に次に表示する画像の輝度を抑える輝度補正効果を付加する画像処理を用いても良い。
【００８８】
また、表示切り換えに係る２つの画像の輝度差分に応じた適応的な遷移効果を付加する画像処理は、上記各実施例のように当該画像を画像表示部に実際に表示する際にリアルタイムに行なわれる画像処理に限られない。例えば、複数の画像を入力すると当該複数の画像が順番に再生されるスライドショー作品を自動的に生成するような画像編集ソフトウェアにおいて、当該スライドショー作品中の画像の切り換わりに適応的に遷移効果を付加するエフェクト機能でも良い。
【００８９】
また、本発明は表示装置の各ブロックをハードウェアにより実施した場合でも、コンピュータを用いたソフトウェア処理にて実施した場合でも適用する事ができ、同様な効果を得ることが可能である。ソフトウェア処理によって実施する場合、前記ソフトウェアのプログラムコード自体が前述した実施の形態の機能を実現することになる。また、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばハードディスク、光ディスク、光磁気ディスク、ＣＤ−ＲＯＭ、磁気テープ、不揮発性のメモリカード、ＲＯＭ等を用いることがで
きる。
【００９０】
また、供給されたプログラムコードがコンピュータにおいて稼働しているＯＳ或いは他のアプリケーションソフト等と共同して上述の実施例で説明した機能が実現される場合にも、かかるプログラムコードは本発明の実施形態に含まれる。更に、供給されたプログラムコードがコンピュータの機能拡張ボードやコンピュータに接続された機能拡張ユニットに備わるメモリに格納されてもよい。この場合、そのプログラムコードの指示に基づいてその機能拡張ボードや機能拡張ユニットに備わるＣＰＵ等が実際の処理の一部または全部を行い、その処理によって上述した実施例の機能が実現される場合にも本発明に含まれる。
【符号の説明】
【００９１】
１０３：輝度抽出部、１０５：画像処理部、１０７：システムコントローラ
【図１】
2011033943.tif 000003
【図２】
2011033943.tif 000004
【図３】
2011033943.tif 000005
【図４】
2011033943.tif 000006
【図５】
2011033943.tif 000007
【図６】
2011033943.tif 000008
【図７】
2011033943.tif 000009
【図８】
2011033943.tif 000010
【図９】
2011033943.tif 000011
【図１０】
2011033943.tif 000012
【手続補正書】
【提出日】平成22年7月27日(2010.7.27)
【手続補正２】
【補正対象書類名】明細書
【補正対象項目名】０００８
【補正方法】変更
【補正の内容】
【０００８】
本発明に係る画像処理装置は、複数の画像を順次自動的に切り替えながら表示部に表示するスライドショー機能を有する画像処理装置であって、前記表示部に表示中の第１画像から当該第１画像の次に表示される第２画像へ表示を切り替える際に、表示中の前記第１画像から段階的に前記第２画像が表示されるように遷移する遷移効果を付加する付加手段と、前記表示部に表示する前記第１画像及び前記第２画像夫々の輝度を示す特性値を取得する取得手段と、前記取得手段で取得した前記第１画像の特性値と前記第２画像の特性値との差分が所定の遷移効果閾値以上の場合には、前記第１画像から前記第２画像へ表示を切り替える際に、前記第１画像から段階的に前記第２画像が表示されるように遷移する遷移効果を付加するよう、前記付加手段を制御する制御手段とを有する。
【手続補正３】
【補正対象書類名】明細書
【補正対象項目名】０００９
【補正方法】変更
【補正の内容】
【０００９】
本発明に係る画像処理装置の制御方法は、複数の画像を順次自動的に切り替えながら表示部に表示するスライドショー機能を有する画像処理装置の制御方法であって、前記表示部に表示中の第１画像から当該第１画像の次に表示される第２画像へ表示を切り替える際に、表示中の前記第１画像から段階的に前記第２画像が表示されるように遷移する遷移効果を付加する付加ステップと、前記表示部に表示する前記第１画像及び前記第２画像夫々の輝度を示す特性値を取得する取得ステップと、前記取得ステップにて取得した前記第１画像の特性値と前記第２画像の特性値との差分が所定の遷移効果閾値以上の場合には、前記第１画像から前記第２画像へ表示を切り替える際に、前記第１画像から段階的に前記第
２画像が表示されるように遷移する遷移効果を付加するよう、前記付加ステップを制御する制御ステップとを有する。
【手続補正４】
【補正対象書類名】明細書
【補正対象項目名】００２０
【補正方法】変更
【補正の内容】
【００２０】
次にステップＳ２０５の処理に移行し、ステップＳ２０４で取得した輝度Ｙ＿ｎｏｗと現在表示している画像の輝度Ｙ＿ｏｌｄ（前回の本フロー実行時に取得された輝度）との差の絶対値｜Ｙ＿ｏｌｄ−Ｙ＿ｎｏｗ｜を算出し、輝度差分Ｙ＿ｓｕｂとする。ここで輝度差分Ｙ＿ｓｕｂは、本発明における「第１画像の特性値と第２画像の特性値との差分」に相当し、ステップＳ２０５の処理を行なうシステムコントローラ１０７が本発明における「制御手段」の一部を構成する。
【手続補正５】
【補正対象書類名】明細書
【補正対象項目名】００２６
【補正方法】変更
【補正の内容】
【００２６】
クロスフェードは、輝度変化率が第２閾値以下であればどのようなクロスフェードであっても良く、例えば、輝度変化率一定のクロスフェードや、クロスフェード期間が一定のクロスフェードを用いることができる。輝度変化率が一定のクロスフェードの場合、２つの画像の輝度差分が大きいほどクロスフェード期間が長くなる。クロスフェード期間が一定のクロスフェードの場合、クロスフェード期間は、２つの画像の輝度差分が想定し得る最大値であっても輝度変化率が第２閾値以下となるように設定すればよい。この場合、２つの画像の輝度差分が大きいほど輝度変化率は大きくなるが、それが第２閾値を超えることはないので、視聴者に強い視覚的刺激を感じさせることを好適に抑制できる。本実施例におけるクロスフェード期間が、本発明における「遷移する期間」に相当する。本実施例において、画像Ａのみが表示される状態と画像Ｂのみが表示される状態との間に、クロスフェードが付加された画像が表示される期間が挿入されることが、本発明における「第１画像から段階的に第２画像が表示されるように遷移する」ことに相当する。
【手続補正６】
【補正対象書類名】明細書
【補正対象項目名】００５１
【補正方法】変更
【補正の内容】
【００５１】
（その他の照度に対応した閾値テーブルの説明）
画像表示装置は、画像の表示画質設定（明るさ、色相、彩度、鮮鋭度、コントラスト等の表示パラメータ）を変更する機能を有していることがある。そして、種々のソース画像に適合する表示画質設定の少なくともいずれかを変更する処理に用いられるパラメータの設定値の集合を画質モード等の名称で有し、それら複数の画質モードを切り換え可能な機能を有していることがある。画質モードとしては、例えば、映画を表示する場合に適するシネマモード、ニュース等を表示する場合に適するスタンダードモード、スポーツや音楽番組を表示する場合に適するダイナミックモード等がある。このような画質モードの変更機能を有する画像表示装置に対して本実施例を適用する場合には、図１のブロック図にお
いて、画像表示装置において選択されている表示画質設定（画質モード）を取得する画質情報取得手段を更に備える（図示省略）。そして、照度Ｌｘに応じてクロスフェード実行閾値Ｙｔｈ＿ｃｆ＿Ｌを定める閾値テーブルを、取得した画質モードに応じて可変としても良い。
【手続補正７】
【補正対象書類名】特許請求の範囲
【補正対象項目名】全文
【補正方法】変更
【補正の内容】
【特許請求の範囲】
【請求項１】
複数の画像を順次自動的に切り替えながら表示部に表示するスライドショー機能を有する画像処理装置であって、
前記表示部に表示中の第１画像から当該第１画像の次に表示される第２画像へ表示を切り替える際に、表示中の前記第１画像から段階的に前記第２画像が表示されるように遷移する遷移効果を付加する付加手段と、
前記表示部に表示する前記第１画像及び前記第２画像夫々の輝度を示す特性値を取得する取得手段と、
前記取得手段で取得した前記第１画像の特性値と前記第２画像の特性値との差分が所定の遷移効果閾値以上の場合には、前記第１画像から前記第２画像へ表示を切り替える際に、前記第１画像から段階的に前記第２画像が表示されるように遷移する遷移効果を付加するよう、前記付加手段を制御する制御手段と、
を有する画像処理装置。
【請求項２】
前記制御手段は、前記第１画像から前記第２画像へと表示が変化することで生じる単位時間あたりの輝度の変化率が、所定の単位時間あたりの輝度変化率以下となるように、前記第１画像から段階的に前記第２画像が表示されるように遷移する期間を決定する
ことを特徴とする請求項１に記載の画像処理装置。
【請求項３】
前記表示部の周囲の照度を取得する照度取得手段をさらに有し、
前記制御手段は、前記照度取得手段で取得された照度が高くなるに従い、前記所定の遷移効果閾値の値を大きくする
ことを特徴とする請求項１または２に記載の画像処理装置。
【請求項４】
前記表示部の表示画質設定情報を取得する画質情報取得手段をさらに有し、
前記制御手段は、前記画質情報取得手段で取得された画質設定情報に従い、前記所定の遷移効果閾値を変更する
ことを特徴とする請求項３に記載の画像処理装置。
【請求項５】
前記制御手段は、前記第２画像の特性値と前記第２画像の次に表示される第３画像の特性値との差分が前記所定の遷移効果閾値以上の場合、前記第１画像の特性と前記第２画像の特性値との差分が前記所定の遷移効果閾値未満であっても、前記第１画像から前記第２画像へ表示を切り替える際に、前記第１画像から段階的に前記第２画像が表示されるように遷移する遷移効果を付加するよう、前記付加手段を制御する
ことを特徴とする請求項１乃至４のいずれか１項に記載の画像処理装置。
【請求項６】
前記特性値は、画像を構成する複数の画素の平均輝度値である
ことを特徴とする請求項１乃至５のいずれか１項に記載の画像処理装置。
【請求項７】
複数の画像を順次自動的に切り替えながら表示部に表示するスライドショー機能を有する画像処理装置の制御方法であって、
前記表示部に表示中の第１画像から当該第１画像の次に表示される第２画像へ表示を切り替える際に、表示中の前記第１画像から段階的に前記第２画像が表示されるように遷移する遷移効果を付加する付加ステップと、
前記表示部に表示する前記第１画像及び前記第２画像夫々の輝度を示す特性値を取得する取得ステップと、
前記取得ステップにて取得した前記第１画像の特性値と前記第２画像の特性値との差分が所定の遷移効果閾値以上の場合には、前記第１画像から前記第２画像へ表示を切り替える際に、前記第１画像から段階的に前記第２画像が表示されるように遷移する遷移効果を付加するよう、前記付加ステップを制御する制御ステップと、
を有する画像処理装置の制御方法。
【請求項８】
前記制御ステップでは、前記第１画像から前記第２画像へと表示が変化することで生じる単位時間あたりの輝度の変化率が、所定の単位時間あたりの輝度変化率以下となるように、前記第１画像から段階的に前記第２画像が表示されるように遷移する期間が決定される
ことを特徴とする請求項７に記載の画像処理装置の制御方法。
【請求項９】
前記表示部の周囲の照度を取得する照度取得ステップをさらに有し、
前記制御ステップでは、前記照度取得ステップで取得された照度が高くなるに従い、前記所定の遷移効果閾値の値が大きくされる
ことを特徴とする請求項７または８に記載の画像処理装置の制御方法。
【請求項１０】
前記表示部の表示画質設定情報を取得する画質情報取得ステップをさらに有し、
前記制御ステップでは、前記画質情報取得ステップで取得された画質設定情報に従い、前記所定の遷移効果閾値が変更される
ことを特徴とする請求項９に記載の画像処理装置の制御方法。
【請求項１１】
前記制御ステップでは、前記第２画像の特性値と前記第２画像の次に表示される第３画像の特性値との差分が前記所定の遷移効果閾値以上の場合、前記第１画像の特性と前記第２画像の特性値との差分が前記所定の遷移効果閾値未満であっても、前記第１画像から前記第２画像へ表示を切り替える際に、前記第１画像から段階的に前記第２画像が表示されるように遷移する遷移効果を付加するよう、前記付加ステップが制御される
ことを特徴とする請求項７乃至１０のいずれか１項に記載の画像処理装置の制御方法。
【請求項１２】
前記特性値は、画像を構成する複数の画素の平均輝度値である
ことを特徴とする請求項７乃至１１のいずれか１項に記載の画像処理装置の制御方法。